(57)【要約】【課題】既設の巻上機に対するリニューアルを効率よく短時間で実施する。【解決手段】エレベータのかごが上下移動するエレベータ昇降路２０の上側に設けられた機械室２１の床２２にマシンビーム２４の下部が埋設され、このマシンビームの上面にマシンベッド２７が取付けられ、このマシンベッドの上面に、かごを上下移動させる巻上機２８が固定されたエレベータシステムにおけるエレベータ巻上機のリニューアル方法において、既設のマシンベッド２７の上面に固定された既設の巻上機２８を除去し、この既設の巻上機が上面から除去された後の既設のマシンベッド２７の上面に、新規の巻上機２９を固定可能な新規のマシンベッド３０を取付け、この取付けられた新規のマシンベッド３０の上面に、新規の巻上機２９を固定する。【選択図】      図１
2007070082.tif 000002
【特許請求の範囲】
【請求項１】
エレベータのかごが上下移動するエレベータ昇降路の上側に設けられた機械室の床にマシンビームの下部が埋設され、このマシンビームの上面にマシンベッドが取付けられ、このマシンベッドの上面に、前記かごを上下移動させる巻上機が固定されたエレベータシステムにおけるエレベータ巻上機のリニューアル方法において、
既設のマシンベッドの上面に固定された既設の巻上機を除去するステップと、
この既設の巻上機が上面から除去された既設のマシンベッドの上面に、新規の巻上機を固定可能な新規のマシンベッドを取付けるステップと、
この取付けられた新規のマシンベッドの上面に、前記新規の巻上機を固定するステップと
を備えたことを特徴とするエレベータ巻上機のリニューアル方法。
【請求項２】
前記新規のマシンベッドは複数の部材に分解可能な構造を有し、
前記新規のマシンベッドを複数の部材に分解した状態で、前記機械室に搬入するステップと、この機械室に搬入された複数の部材を前記新規のマシンベッドに組立てるステップとを有し、
前記新規のマシンベッドを取付けるステップは、前記既設の巻上機が除去された既設のマシンベッドの上面に、前記組立てられた新規のマシンベッドを取付ける
ことを特徴とする請求項１記載のエレベータ巻上機のリニューアル方法。
【請求項３】
前記新規のマシンベッドを取付けるステップは、前記既設の巻上機が除去された既設のマシンベッドの上面に、複数の新規のマシンベッドを積層して取付ける
ことを特徴とする請求項１又は２記載のエレベータ巻上機のリニューアル方法。
【請求項４】
エレベータのかごが上下移動するエレベータ昇降路の上側に設けられた機械室の床にマシンビームの下部が埋設され、このマシンビームの上面にマシンベッドが取付けられ、このマシンベッドの上面に、前記かごを上下移動させる巻上機が固定されたエレベータシステムにおけるエレベータ巻上機のリニューアル方法において、
既設のマシンベッドの上面に固定された既設の巻上機を除去するステップと、
既設のマシンビームの上面に取付けられた既設のマシンベッドを除去するステップと、
複数の部材に分解可能な構造を有し、上面に新規の巻上機を固定可能な新規のマシンベッドを、前記複数の部材に分解した状態で、前記機械室に搬入するステップと、
この機械室に搬入された複数の部材を前記新規のマシンベッドに組立てるステップと、
前記既設のマシンベッドが上面から除去された既設のマシンビームの上面に、前記組立てられた新規のマシンベッドを取付けるステップと、
この既設のマシンビームの上面に取付けられた新規のマシンベッドの上面に、前記新規の巻上機を固定するステップと
を備えたことを特徴とするエレベータ巻上機のリニューアル方法。
【請求項５】
エレベータのかごが上下移動するエレベータ昇降路の上側に設けられた機械室の床に下部が埋設された既設のマシンビームと、
この既設のマシンビームの上面に取付けられ、上面に前記かごを上下移動させるための巻上機を固定するための既設のマシンベッドと、
この既設のマシンベッドの上面に取付けられ、上面に前記かごを上下移動させるための新規の巻上機を固定するための新規のマシンベッドと、
この新規のマシンベッドの上面に固定され、上面に前記かごを上下移動させるための新規の巻上機と、
前記機械室内に設置され、前記新規の巻上機を駆動制御する新規の制御盤と
を備えたことを特徴とするエレベータシステム。
【請求項６】
エレベータのかごが上下移動するエレベータ昇降路の上側に設けられた機械室の床に下部が埋設されたマシンビームの上面と、前記かごを上下移動させる巻上機との間に介挿され、上面に前記巻上機が固定されるエレベータ巻上機のマシンベッドにおいて、
互いに平行に配設された複数の下側アングル材と、
この複数の下側アングル材の上面に、この複数の下側アングル材間を連結するように配設された互いに平行する複数本の上側アングル材と、
前記複数の下側アングル材と前記複数本の上側アングル材とを、この複数の下側アングル材と前記複数本の上側アングル材との水平方向の交差角を可動自在に連結する複数の連結部材と
を備えたことを特徴とするエレベータ巻上機のマシンベッド。
【発明の詳細な説明】
【技術分野】
【０００１】
本発明は、ビル等に設置されたエレベータシステムにおけるエレベータ巻上機のリニューアル方法、このリニューアル方法でリニューアルされたエレベータシステム、及びこのリニューアル方法で採用されるマシンベッドに関する。
【背景技術】
【０００２】
ビルやマンション等に設置されたエレベータシステムにおいては、設置時点から十数年が経過すると、エレベータシステムを構成しているエレベータ昇降路内を上下移動するエレベータのかごや、エレベータ昇降路の上側に設けられた機械室に設置されたかごをロープを介して上下移動させる巻上機や、巻上機を駆動制御する制御盤等の各構成部材が老朽化したり、機能が最新のシステムに対して、見劣りするようになる。
【０００３】
したがって、既設の各構成部材についてそれぞれ高機能を有した新規の構成部材に更新するリニューアルを実施する必要がある。この場合、一般的に、エレベータシステムを構成する全部の構成部材を同時にリニューアルすることはなく、改修費用に対する効果等を考慮して、機能に直結する電動機や減速器やシープ等が組込まれた巻上機、及びこの巻上機を制御する制御盤に限って、リニューアルすることが実施されている。
【０００４】
また、リニューアルすべきエレベータが設置されたビルやマンション等においては、従業員や住民が存在するので、短期間にリニューアルを完了する必要がある。
【０００５】
上述した機械室内に設置された既設の巻上機を新規の巻上機に更新するリニューアル手法が特許文献１に提唱されている。
【０００６】
図７（ａ）は、リニューアル前の機械室内に設置された巻上機の断面模式図である。機械室の床１の上面は、シンダーコンクリート２で覆われている。このシンダーコンクリート２に、一対のマシンビーム３の下部が埋込固定されている。この一対のマシンビーム３の上面に、これと直交する方向に一対の横ビーム４が取付けられており、この横ビーム４の上面に、電動機や減速器やシープ等が組込まれた巻上機５が固定されている。
【０００７】
このような既設の巻上機５を高い機能を有した新規の巻上機にリニューアルする場合において、既設の巻上機５の取付寸法と、新規の巻上機の取付寸法が異なることが一般的である。このような場合、巻上機のリニューアルを実施する場合、マシンビーム３、横ビーム）４も同時に、新規の巻上機の取付寸法に合致した寸法を有する新規のマシンビーム、横ビームに交換する必要がある。
【０００８】
しかし、マシンビーム３の下部は、床１のシンダーコンクリート２に埋込固定されているので、この既設のマシンビーム３を新規のマシンビームに取替えるには、大きな騒音を伴う工事を実施する必要があるので、図７（ａ）の既設の巻上機５、既設の横ビーム４のみを除去する。
【０００９】
次に、図７（ｂ）に示すように、既設の一対のマシンビーム３の隣接位置に、シンダーコンクリート２を貫通して下端が床１に固定した支持台６を設ける。既設の一対のマシンビーム３と支持台６との上面に新規の横ビーム８を取付け、この新規の横ビーム８の上面に、この横ビーム８に対して直交する方向に、新規のマシンビーム９を二層分だけ積層する。１層目のマシンビーム９と２層目のマシンビーム９との間には、防振部材１０が介挿されている。そして、この新規のマシンビーム９の上面に既設の巻上機１１を固定する。
【００１０】
このように、支持台６を設けることにより、既設のマシンビーム３を機械室の床１に残した状態で、既設の巻上機５を新規の巻上機１１にリニューアルすることが可能となる。
【特許文献１】特許第２７２８１５６号公報
【発明の開示】
【発明が解決しようとする課題】
【００１１】
しかしながら図７（ａ）、（ｂ）に示すエレベータ巻上機のリニューアル手法においても、まだ解消すべき次のような課題があった。
【００１２】
すなわち、既設の巻上機、既設の横ビーム、その他巻上機に付随した構成部品について、それらを撤去した後にエレベータの機械室から搬出し、階段などを経由、または建物近辺よりクレーン車を使用して、不要となったこれらの用品を搬出し、廃棄物として破棄しなければならなかった。
【００１３】
近年、環境保護の観点から産業廃棄物の削減が強く求められる中で、エレベータのリニューアル工事においてもできるだけ廃棄物を抑制することが求められている。
【００１４】
さらに既設の不要部材の搬出、新規の必要部材の搬入に際して、機械室に至る経路が狭いので、搬出入の時間的制約でクレーン車が使用できない等の理由が発生するが、機械室に搬出入する用品が大きいと経路の確保の為、建物の一部を壊して機械室に至る経路を拡張し、さらに専用の搬送治具を使用し、大掛かりな搬出入作業を余儀なくされる。これらの付帯工事を削減させることは工事費の削減にも直結する為、不要となる旧巻上機に関連した構成部材をリニューアル後のエレベータシスムにできるだけ流用できることが求められている。
【００１５】
さらに、前述したリニューアル手法においては、支持台６を床１に固定するために、床１の上面を覆うシンダーコンクリート２の一部を除去する工事が必要であり、騒音問題が生じる。
【００１６】
本発明はこのような事情に鑑みてなされたものであり、エレベータシステムの機能低下を招くことなく、巻上機のリニューアルに伴う不要部材の発生量を極力抑制でき、かつ新規の各構成部材の機械室に対する搬入を容易にでき、もって、巻上機に対するリニューアル工事期間を短縮でき、このエレベータシステムが組込まれたビルやマンションのエレベータ利用者に対するサービス低下を極力抑制できるエレベータ巻上機のリニューアル方法、このリニューアル方法でリニューアルされたエレベータシステム、及びこのリニューアル方法で採用されるマシンベッドを提供することを目的とする。
【課題を解決するための手段】
【００１７】
上記課題を解消するために、本発明は、エレベータのかごが上下移動するエレベータ昇降路の上側に設けられた機械室の床にマシンビームの下部が埋設され、このマシンビームの上面にマシンベッドが取付けられ、このマシンベッドの上面に、かごを上下移動させる巻上機が固定されたエレベータシステムにおけるエレベータ巻上機のリニューアル方法において、既設のマシンベッドの上面に固定された既設の巻上機を除去するステップと、この既設の巻上機が上面から除去された既設のマシンベッドの上面に、新規の巻上機を固定可能な新規のマシンベッドを取付けるステップと、この取付けられた新規のマシンベッドの上面に、新規の巻上機を固定するステップとを備えている。
【００１８】
このように構成されたエレベータ巻上機のリニューアル方法においては、既設の巻上機を既設のマシンベッドの上面から除去した後に、この既設のマシンベッドの上面に新規の巻上機に対応する新規のマシンベッドを取付ける。そして、この新規のマシンベッドの上面に新規の巻上機が固定される。
【００１９】
したがって、このリニューアル方法で除去される構成部材は既設の巻上機のみとなるので、このリニューアル方法で除去される構成部材を最小限に抑制できる。また、機械室の床に対する工事を実施しないので、騒音問題が生じることを未然に防止できる。
【００２０】
また、別の発明は、上述した発明のエレベータ巻上機のリニューアル方法において、新規のマシンベッドは複数の部材に分解可能な構造を有している。さらに、新規のマシンベッドを複数の部材に分解した状態で、機械室に搬入するステップと、この機械室に搬入された複数の部材を新規のマシンベッドに組立てるステップとを有している。そして、新規のマシンベッドを取付けるステップは、既設の巻上機が除去された既設のマシンベッドの上面に、組立てられた新規のマシンベッドを取付ける。
【００２１】
このように構成されたエレベータ巻上機のリニューアル方法においては、新規のマシンベッドは複数の部材に分解可能であるので、複数の部材に分解した状態で機械室に搬入でき、機械室への狭い通路を搬送できるので、機械室に臨時に外部に開かれた搬入口を形成し、外部から大型クレーン等を用いて、新規のマシンベッドを臨時の搬入口から機械室に搬入する大がかりな作業を実施する必要がない。
【００２２】
また、別の発明は、上述した発明のエレベータ巻上機のリニューアル方法において、新規のマシンベッドを取付けるステップは、既設の巻上機が除去された既設のマシンベッドの上面に、複数の新規のマシンベッドを積層して取付けるようにしている。
【００２３】
また、別の発明は、エレベータのかごが上下移動するエレベータ昇降路の上側に設けられた機械室の床にマシンビームの下部が埋設され、このマシンビームの上面にマシンベッドが取付けられ、このマシンベッドの上面に、かごを上下移動させる巻上機が固定されたエレベータシステムにおけるエレベータ巻上機のリニューアル方法において、
既設のマシンベッドの上面に固定された既設の巻上機を除去するステップと、既設のマシンビームの上面に取付けられた既設のマシンベッドを除去するステップと、複数の部材に分解可能な構造を有し、上面に新規の巻上機を固定可能な新規のマシンベッドを、複数の部材に分解した状態で、機械室に搬入するステップと、この機械室に搬入された複数の部材を前記新規のマシンベッドに組立てるステップと、既設のマシンベッドが上面から除去された既設のマシンビームの上面に、組立てられた新規のマシンベッドを取付けるステップと、この既設のマシンビームの上面に取付けられた新規のマシンベッドの上面に、新規の巻上機を固定するステップとを備えている。
【００２４】
このように構成されエレベータ巻上機のリニューアル方法においては、除去される構成部材は既設の巻上機と既設のマシンベッドである。そして、新規のマシンベッドは複数の部材に分解した状態で機械室に搬入される。
【００２５】
また、別の発明は、リニューアル後のエレベータシステムである。そして、このエレベータシステムは、エレベータのかごが上下移動するエレベータ昇降路の上側に設けられた機械室の床に下部が埋設された既設のマシンビームと、この既設のマシンビームの上面に取付けられ、上面にかごを上下移動させるための巻上機を固定するための既設のマシンベッドと、この既設のマシンベッドの上面に取付けられ、上面にかごを上下移動させるための新規の巻上機を固定するための新規のマシンベッドと、この新規のマシンベッドの上面に固定され上面にかごを上下移動させるための新規の巻上機と、機械室内に設置され、この新規の巻上機を駆動制御する新規の制御盤とを備えている。
【００２６】
このように構成されたリニューアル後のエレベータシステムにおいては、既設のエレベータシステムから少ない改修費用で高性能のエレベータシステムを実現できる。
【００２７】
また、別の発明は、エレベータのかごが上下移動するエレベータ昇降路の上側に設けられた機械室の床に下部が埋設されたマシンビームの上面と、かごを上下移動させる巻上機との間に介挿され、上面に巻上機が固定されるエレベータ巻上機のマシンベッドである。そして、このエレベータ巻上機のマシンベッドは、互いに平行に配設された２本の下側アングル材と、この２本の下側アングル材の上面に、この２本の下側アングル材間を連結するように配設された互いに平行する複数本の上側アングル材と、２本の下側アングル材と複数本の上側アングル材とを、この２本の下側アングル材と複数本の上側アングル材との水平方向の交差角を可動自在に連結する複数の連結部材とを備えている。
【００２８】
このように構成されたマシンベッドにおいては、下側アングル材と複数本の下側アングル材との水平方向の交差角は可動であるので、このマシンベッドを上方から見た形状を矩形から菱形に変形可能である。したがって、菱形に変形してこのマシンベッドの幅を狭くさせることによって、このマシンベッドを機械室に容易に搬入できる。
【発明の効果】
【００２９】
本発明においては、既設の巻上機を既設のマシンベッドの上面から除去した後に、この既設のマシンベッドの上面に新規のマシンベッドを取付け、この新規のマシンベッドの上面に新規の巻上機を固定している。
【００３０】
したがって、このリニューアル方法で除去される構成部材を最小限に抑制でき、また、機械室の床に対する工事を実施しないので、騒音問題が生じることを未然に防止でき、かつ新規の各構成部材の機械室に対する搬入を容易にできる。また、少ない改修費用で、巻上機に対するリニューアル工事期間を短縮でき、このエレベータシステムが組込まれたビルやマンションのエレベータ利用者に対するサービス低下を極力抑制できる。
【発明を実施するための最良の形態】
【００３１】
以下、本発明の各実施形態を図面を用いて説明する。
【００３２】
（第１実施形態）
図１（ａ）〜（ｅ）は、本発明の第１実施形態に係わるエレベータ巻上機のリニューアル方法の各リニューアル工程を示す断面模式図である。
【００３３】
図１（ａ）は、リニューアル前の巻上機が設置された機械室の断面模式図である。エレベータのかごが上下移動するエレベータ昇降路２０の上側に設けられた機械室２１の床２２の上面はシンダーコンクリート２３で覆われている。このシンダーコンクリート２３に既設のマシンビーム２４の下部が埋込固定されている。この既設のマシンビーム２４の一方端近傍に設けられた軸２５ａにそらせシープ２５が枢支されている。このそらせシープ２５にメインロープ２６が懸架されている。
【００３４】
既設のマシンビーム２４の上面に既設のマシンベッド２７が取付られており、この既設のマシンベッド２７の上面に既設の巻上機２８が固定されている。既設の巻上機２８には電動機や減速器や主シープや取付部材等が組込まれている。そして主シープには前記メインロープ２６が懸架されている。このメインロープ２６の両端には、エレベータ昇降路２０の図示しないかご及び釣合重りが取付けられている。また、機械室２１内には、既設の巻上機２８を駆動制御する図示しない既設の制御盤が配設されている。したがって、既設の巻上機２８は既設の制御盤の駆動制御に基づいて、前記かごをエレベータ昇降路２０内で上下移動させる。
【００３５】
このような構成のリニューアル前のエレベータシステムにおける既設の巻上機２８を、寸法形状の異なる高性能の新規の巻上機２９にリニューアルする場合、先ず、エレベータ昇降路２０内のかごを例えば１階等の基準階に固定し、メインロープ２６を主シープ及びそらせシープ２５から取外す。さらに、そらせシープ２５を既設のマシンビーム２４の軸２５ａから一時的に取外す。そして、図１（ｂ）に示すように、既設の巻上機２８を既設のマシンベッド２７の上面から除去する。
【００３６】
その後、図１（ｃ）に示すように、既設の巻上機２８が除去された既設のマシンベッド２７の上面に、新規の巻上機２９の寸法形状に対応する形状を有した新規のマシンベッド３０を取付ける。そして、図１（ｄ）に示すように、新規のマシンベッド３０の上面に電動機や減速器や主シープや取付部材等が組込まれている新規の巻上機２９を固定する。図１（ｄ）に示すように、そらせシープ２５をマシンビーム２４の軸２５ａに取付け、メインロープ２６を新規の巻上機２９の主シープ及びそらせシープ２５に懸架する。
【００３７】
最後に、図示しない既設の制御盤を図示しない新規の制御盤に交換して、新規の制御盤と新規の巻上機２９の電動機とを電力線及び信号線で接続する。
【００３８】
このように構成された第１実施形態のエレベータ巻上機のリニューアル方法においては、図１（ａ）〜（ｅ）に示すように、既設の巻上機２８を既設のマシンベッド２７の上面から除去した後に、この既設のマシンベッド２７の上面に新規のマシンベッド３０を取付ける。この新規のマシンベッド３０の上面に新規の巻上機２９が固定される。
【００３９】
したがって、最終的に、このリニューアル方法で除去される構成部材は既設の巻上機２９のみとなるので、このリニューアル方法で除去される構成部材を最小限に抑制できる。また、機械室２１の床２２及びシンダーコンクリート２３に対する工事を実施しないので、騒音問題が生じることを未然に防止できる。
【００４０】
（第２実施形態）
図２は本発明の第２実施形態に係わる新規の巻上機２９が組込まれたリニューアル後のエレベータシステムの要部を取出して示す詳細断面図である。前述した図１（ｅ）の断面模試図と同一部分には、同一符号が付されている。
【００４１】
この第２実施形態のエレベータシステムにおいては、エレベータのかごが上下移動するエレベータ昇降路２０の上側に設けられた機械室２１の床２２の上面はシンダーコンクリート２３で覆われている。このシンダーコンクリート２３に既設のマシンビーム２４の下部が埋込固定されている。この既設のマシンビーム２４の一方端近傍に設けられた軸２５ａにそらせシープ２５が枢支されている。このそらせシープ２５にメインロープ２６が懸架されている。
【００４２】
既設のマシンビーム２４の上面に防振部材３１ａ、３１ｂ、３１ｃを介して既設のマシンベッド２７が取付られており、この既設のマシンベッド２７の上面に同一構成の２台の新規のマシンベッド３０ａ、３０ｂが、相互間に防振部材３２ａ、３２ｂを挟んで積層されている。具体的には、下側の新規のマシンベッド３０ａが、既設のマシンベッド２７に対してボルト／ナット３７で固定されている。
【００４３】
また、既設のマシンベッド２７内における新規のマシンベッド３０ａ、３０ｂの端部が当接する位置に、新規の巻上機２９の重量を支えるための補強アングル３６が紙面に直交する方向に、このリニューアル作業の一環として、追加取付されている。
【００４４】
積層された２台の新規のマシンベッド３０ａ、３０ｂのうちの上側の新規のマシンベッド３０ｂの上面には、新規の巻上機２９が、取付部材３３を介して、複数のボルト／ナット３５で固定されている。新規の巻上機２９の主シープ３４には前記メインロープ２６が懸架されている。このメインロープ２６の両端には、エレベータ昇降路２０の図示しないかご及び釣合重りが取付けられている。また、機械室２１内には、新規の巻上機２９を駆動制御する図示しない新規の制御盤が配設されている。したがって、新規の巻上機２９は新規の制御盤の駆動制御に基づいて、前記かごをエレベータ昇降路２０内で上下移動させる。
【００４５】
図３は、上側に位置する新規のマシンベッド３０ｂの詳細構成図であり、図３（ａ）は斜視図、図３（ｂ）は上面図、図３（ｃ）は正面図である。
【００４６】
この新規のマシンベッド３０ｂは、略コ字状型断面形状を有した４枚の金属板３８ａ、３８ｂ、３８ｃ、３８ｄで上下端開口の角筒を形成し、この角筒内に２枚の補強用の金属板３８ｅ、３８ｆを介在させたものである。金属板３８ａ〜３８ｆ相互間は、ボルト／ナット３９で固定されている。したがって、各ボルト／ナット３９を取外すことにより、この新規のマシンベッド３０ｂを６枚の金属板３８ａ〜３８ｆに分解可能である。
【００４７】
なお、下側の新規のマシンベッド３０ａも、上側の新規のマシンベッド３０ｂとほぼ同一構成を有する。
【００４８】
このように構成された第２実施形態のエレベータシステムにおいては、図１（ａ）に示す既設のエレベータシステムから、既設の巻上機２８及び既設の制御盤を新規の巻上機２９及び新規の制御盤に変更して、新規のマシンベッド３０ａ、３０ｂを追加するのみであるので、少ない改修費用で高性能のエレベータシステムを実現できる。
【００４９】
さらに、新規のマシンベッド３０ａ、３０ｂを、図３に示すように、それぞれ６枚の金属板３８ａ〜３８ｆに分解可能であるので、リニューアル工事の際には、新規のマシンベッド３０ａ、３０ｂをそれぞれ６枚の金属板３８ａ〜３８ｆに分解した状態で、狭い通路を経て機械室２１に搬入できる。そして、機械室２１内において、ボルト／ナット３９を用いて新規のマシンベッド３０ａ、３０ｂを組立てればよい。
【００５０】
したがって、機械室２１に新規のマシンベッド３０ａ、３０ｂを搬入するに際して、例えば、建物の一部を壊して拡張し、さらに専用の搬送治具を使用し、大掛かりな搬出入作業を実施する必要はなく、機械室２１に新規のマシンベッド３０ａ、３０ｂを簡単に搬入できる。よって、リニューアル工事期間を短縮できるとともにリニューアル工事費用を節減できる。
【００５１】
なお、この実施形態においては、ロープ２６がそらせシープ２５位置で大きく屈曲して、そらせシープ２６に過大な負荷が掛かることを防止するために、２つの新規のマシンベッド３０ａ、３０ｂを積層した。しかし、図１（ｅ）に示すように、１つの新規のマシンベッド３０のみであってもよいことは言うまでもない。
【００５２】
（第３実施形態）
図４は、本発明の第３実施形態に係わるエレベータ巻上機のリニューアル方法で採用される新規のマシンベッド４０の詳細構成図であり、図４（ａ）は斜視図、図４（ｂ）は上面図、図４（ｃ）はこの新規のマシンベッド４０を矩形から菱形に変形した状態を示す上面図である。
【００５３】
この新規のマシンベッド４０は、略コ字状型断面形状を有した互いに平行に配設された２本の下側アングル材４１ａ、４１ｂの上面に、この２本の下側アングル材４１ａ、４１ｂ間を連結するように配設された互いに平行する４本の上側アングル材４２ａ、４２ｂ、４２ｃ、４２ｄが連結ピン４５で接続されている。したがって、２本の下側アングル材４１ａ、４１ｂと４本の上側アングル材４２ａ〜４２ｄとの水平方向の交差角θは図４（ｃ）に示すように任意に変更可能である。
【００５４】
このように構成された新規のマシンベッド４０において、この新規のマシンベッド４０を機械室２１へ搬入する時には、図４（ｃ）に示すように、この新規のマシンベッド４０を菱形に変形してこの新規のマシンベッド４０の幅を狭くさせることによって、この新規のマシンベッド４０を機械室２１に容易に搬入できる。
【００５５】
そして、この新規のマシンベッド４０を図１（ｃ）に示すように、既設のマシンベッド２７上に取付ける場合においては、図４（ａ）、図４（ｂ）に示すように、２本の下側アングル材４１ａ、４１ｂと４本の上側アングル材４２ａ〜４２ｄとの水平方向の交差角θを９０°にして、新規のマシンベッド４０の外形を直方体形状に戻す。
【００５６】
したがって、図３に示した第２実施形態の新規のマシンベッド３０ａ、３０ｂと同様に、大掛かりな搬出入作業を実施する必要はなく、機械室２１に新規のマシンベッド４０を簡単に搬入できる。よって、リニューアル工事期間を短縮できるとともにリニューアル工事費用を節減できる。
【００５７】
さらに、この新規のマシンベッド４０は機械室２１で簡単に正規の使用状態に復元できるので、リニューアル工事をより効率的に実施できる。
【００５８】
（第４実施形態）
図５は、本発明の第４実施形態に係わるエレベータ巻上機のリニューアル方法で採用される新規のマシンベッド４６の詳細構成図であり、図５（ａ）は上面図、図５（ｂ）は正面図、図５（ｃ）はこの新規のマシンベッド４６の組立図である。
【００５９】
この新規のマシンベッド４６は、４個の貫通孔４９ａ、４９ｂ、４９ｃ、４９ｄが穿設された２枚の金属板４７ａ、４７ｂと、両端が各貫通孔４９ａ、４９ｂ、４９ｃ、４９ｄに挿入され、２枚の金属板４７ａ、４７ｂを連結する４本の軸棒４８ａ、４８ｂ、４８ｃ、４８ｄとで構成されている。
【００６０】
この新規のマシンベッド４６は、図５（ｃ）に示すように、２枚の金属板４７ａ、４７ｂと４本の軸棒４８ａ、４８ｂ、４８ｃ、４８ｄとに簡単に分解可能であるので、リニューアル工事の際には、新規のマシンベッド４６を２枚の金属板４７ａ、４７ｂと４本の軸棒４８ａ、４８ｂ、４８ｃ、４８ｄとに分解した状態で、狭い通路を経て機械室２１に搬入できる。そして、機械室２１内において、図５（ｃ）に示す手順で図５（ａ）、（ｂ）に示す直方体形状の新規のマシンベッド４６に組立てればよい。
【００６１】
したがって、図３に示した第２実施形態の新規のマシンベッド３０ａ、３０ｂと同様に、大掛かりな搬出入作業を実施する必要はなく、機械室２１に新規のマシンベッド４６を簡単に搬入できる。よって、リニューアル工事期間を短縮できるとともにリニューアル工事費用を節減できる。
【００６２】
（第５実施形態）
図６（ａ）〜（ｅ）は、本発明の第５実施形態に係わるエレベータ巻上機のリニューアル方法の各リニューアル工程を示す断面模式図である。図１（ａ）〜（ｅ）に示す第１実施形態に係わるエレベータ巻上機のリニューアル方法と同一部分には、同一符号を付して重複する部分の詳細説明を省略する。
【００６３】
この第５実施形態においては、先ず、かごを基準階に固定し、メインロープ２６を主シープ及びそらせシープ２５から取外す。さらに、そらせシープ２５を既設のマシンビーム２４の軸２５ａから一時的に取外す。そして、図６（ｂ）に示すように、既設の巻上機２８を既設のマシンベッド２７の上面から除去する。さらに、図６（ｃ）に示すように、既設のマシンベッド２７を既設のマシンビーム２４の上面から除去する。
【００６４】
その後、図６（ｄ）に示すように、既設のマシンベッド２７が除去された後の既設のマシンビーム２４の上面に新規のマシンベッド３０を取付ける。そして、図６（ｄ）に示すように、新規のマシンベッド３０の上面に電動機や減速器や主シープや取付部材等が組込まれている新規の巻上機２９を固定する。その後、そらせシープ２５をマシンビーム２４の軸２５ａに取付け、メインロープ２６を新規の巻上機２９の主シープ及びそらせシープ２５に懸架する。
【００６５】
最後に、図示しない既設の制御盤を図示しない新規の制御盤に交換して、新規の制御盤と新規の巻上機２９の電動機と電力線及び信号線で接続する。
【００６６】
このように構成された第５実施形態のエレベータ巻上機のリニューアル方法においては、図６（ａ）〜（ｅ）に示すように、既設の巻上機２８及び既設のマシンベッド２７を既設のマシンビーム２４の上面から除去した後に、この既設のマシンビーム２４の上面に新規のマシンベッド３０を取付ける。この新規のマシンベッド３０の上面に新規の巻上機２９が固定される。
【００６７】
したがって、最終的に、このリニューアル方法で除去される構成部材は既設の巻上機２９、既設のマシンベッド２７のみとなるので、このリニューアル方法で除去される構成部材を抑制できる。さらに、新規のマシンベッド３０は前述したように、６枚の金属板３８ａ〜３８ｆに分解可能であるので、この新規のマシンベッド３０を機械室２１に容易に搬入可能である。
【００６８】
したがって、図１（ａ）〜（ｅ）に示す第１実施形態に係わるエレベータ巻上機のリニューアル方法とほぼ同じ作用効果を奏することが可能である。
【図面の簡単な説明】
【００６９】
【図１】本発明の第１実施形態に係わるエレベータ巻上機のリニューアル方法の各リニューアル工程を示す断面模式図
【図２】本発明の第２実施形態に係わるリニューアル後のエレベータシステムの要部を取出して示す詳細断面図
【図３】同リニューアル後のエレベータシステムに組込まれた新規のマシンベッドの概略構成を示す図
【図４】本発明の第３実施形態に係わる新規のマシンベッドの概略構成を示す図
【図５】本発明の第４実施形態に係わる新規のマシンベッドの概略構成を示す図
【図６】本発明の第５実施形態に係わるエレベータ巻上機のリニューアル方法の各リニューアル工程を示す断面模式図
【図７】従来のエレベータ巻上機のリニューアル方法の各リニューアル工程を示す断面模式図
【符号の説明】
【００７０】
２０…エレベータ昇降路、２１…機械室、２２…床、２３…シンダーコンクリート、２４…既設のマシンビーム、２５…そらせシープ、２６…メインロープ、２７…既設のマシンベッド、２８…既設の巻上機、２９…新規の巻上機、３０，３０ａ，３０ｂ，４０，４６…新規のマシンベッド、３１ａ，３１ｂ，３１ｃ，３２ａ，３２ｂ…防振部材、３３…取付部材、３４…主シープ、３５，３７，３９…ボルト／ナット、３６…補強アングル、３８ａ〜３８ｆ、４７ａ，４７ｂ…金属板、４１ａ，４１ｂ…下側アングル材、４２ａ，４２ｂ…上側アングル材、４５…連結ピン、４８ａ〜４８ｄ…軸棒
【図１】
2007070082.tif 000003
【図２】
2007070082.tif 000004
【図３】
2007070082.tif 000005
【図４】
2007070082.tif 000006
【図５】
2007070082.tif 000007
【図６】
2007070082.tif 000008
【図７】
2007070082.tif 000009